(57)【要約】【課題】  ９０度位相シフト器の位相誤差による直交誤差を抑圧する【解決手段】  発振信号を生成する複数の局部発振部と、前記複数の発振信号をいずれかの出力に切り替える第１の切替え部と、前記第１の切替え部の出力のそれぞれを入力し、入力された信号の位相を９０度シフトした被シフト信号を出力する複数の位相シフト部と、前記複数の位相シフト部が出力するそれぞれの被シフト信号出力をいずれかの出力に切り替える第２の切替え部と、受信信号を入力し、複数の前記発振信号のいずれかと前記第２の切替え部の出力のうち、前記第１の選択信号及び前記第２の選択信号の組合せに基づいて切り替えられた発振信号とを用いてそれぞれベースバンド信号を生成する複数の直交復調部と、それぞれの前記ベースバンド信号を合成する合成部とを備える。【選択図】          図１
2015201679.tif 000002
【特許請求の範囲】
【請求項１】
発振信号を生成する複数の局部発振部と、
第１の選択信号、第２の選択信号を制御するスイッチ制御部と、
前記第１の選択信号に基づいて、前記複数の発振信号をいずれかの出力に切り替える第１の切替え部と、
前記第１の切替え部の出力のそれぞれを入力し、入力された信号の位相を９０度シフトした被シフト信号を出力する複数の位相シフト部と、
前記第２の選択信号に基づいて、前記複数の位相シフト部が出力するそれぞれの被シフト信号出力をいずれかの出力に切り替える第２の切替え部と、
受信信号を入力し、複数の前記発振信号のいずれかと前記第２の切替え部の出力のうち、前記第１の選択信号及び前記第２の選択信号の組合せに基づいて切り替えられた発振信号とを用いてそれぞれベースバンド信号を生成する複数の直交復調部と、
それぞれの前記ベースバンド信号を合成する合成部とを備える
ことを特徴とする複数チャンネル同時受信装置。
【請求項２】
前記合成部で合成された信号をデジタル信号に変換するＡＤ変換部と、
前記デジタル信号をデジタル復調し、それぞれの前記ベースバンド信号に関する受信品質を示す受信品質情報を出力するデジタル復調部とを備え、
前記スイッチ制御部は、前記受信品質情報に基づいて前記第１の選択信号及び前記第２の選択信号を制御する
ことを特徴とする請求項１に記載の複数チャンネル同時受信装置。
【請求項３】
前記複数の直交復調部は、それぞれ高周波数帯域から中間周波数帯域へ周波数変換する第１の周波数変換部と、中間周波数帯域からベースバンド周波数帯域へ周波数変換する第２の周波数変換部とを有し、
それぞれの前記第２の周波数変換部に入力する前記発振信号及び前記被シフト信号は同じである
ことを特徴とする請求項１または請求項２に記載の複数チャンネル同時受信装置。
【請求項４】
前記受信品質は、前記受信信号のＣＮ比に基づく情報であって、
前記デジタル復調部の復調結果からＣＮ比を求めるＣＮ比算出部を備え、
前記スイッチ制御部は、前記第１の選択信号及び前記第２の選択信号の全ての組合せのうち、前記ＣＮ比が最適となる組合せを検出し設定する
ことを特徴とする請求項２または請求項３に記載の複数チャンネル同時受信装置。
【請求項５】
前記受信品質は、前記受信信号の変調誤差比に基づく情報であって、
前記デジタル復調部の復調結果から変調誤差比を求める変調誤差比算出部を備え、
前記スイッチ制御部は、前記第１の選択信号及び前記第２の選択信号の全ての組合せのうち、前記変調誤差比が最適となる組合せを検出し設定する
ことを特徴とする請求項２または請求項３に記載の複数チャンネル同時受信装置。
【請求項６】
前記受信品質は、前記受信信号のパケットエラーレートに基づく情報であって、
前記デジタル復調部の復調結果からパケットエラーレートを求めるパケットエラーレート算出部を備え、
前記スイッチ制御部は、前記第１の選択信号及び前記第２の選択信号の全ての組合せのうち、前記パケットエラーレートが最適となる組合せを検出し設定する
ことを特徴とする請求項２または請求項３に記載の複数チャンネル同時受信装置。
【請求項７】
前記受信品質は、前記受信信号のビットエラーレートに基づく情報であって、
前記デジタル復調部の復調結果からビットエラーレートを求めるビットエラーレート算出部を備え、
前記スイッチ制御部は、前記第１の選択信号及び前記第２の選択信号の全ての組合せのうち、前記ビットエラーレートが最適となる組合せを検出し設定する
ことを特徴とする請求項２または請求項３に記載の複数チャンネル同時受信装置。
【発明の詳細な説明】
【技術分野】
【０００１】
この発明は、異なる情報が変調された複数種類の信号を含む受信信号を入力し、選局された信号を復調する複数チャンネル同時受信装置に関する。
【背景技術】
【０００２】
世界各国で放送のデジタル化が広く展開されており、家庭用デジタルテレビや車載放送受信機、携帯情報端末をはじめとする様々な受信機での放送受信が一般的となった。このような受信形態の多様化に伴い、テレビ放送やラジオ放送だけでなく、それらの双方の特長を組み合わせた新しい放送サービスの運用が本格化しており、放送のチャンネル数は今後急速に増加すると考えられている。
【０００３】
このような、異なる情報が変調された複数種類の信号を同時に受信して復調を行なうためには、一般的には、受信を希望するチャンネル数と同数のチューナーが必要となるため、回路規模が増加する。
【０００４】
これに対し、アナログフロントエンドにおける周波数変換時に所定の規則を割り当てることで、複数チャンネルの信号を単一チャンネルの信号とみなして受信する方法が考えられている。より具体的には、複数の異なる高周波帯の信号を中間周波帯の信号に変換する際、中間周波帯において複数チャンネルの信号が隣接するように発振周波数を調整するという技術が開示されている（例えば、特許文献１）。これにより、周波数変換された複数の中間周波帯の信号を単一チャンネルの信号とみなすことが可能となり、単一のアナログ−デジタル変換器（ＡＤ変換器ともいう）でデジタル信号に変換することできるメリットが得られる。
【先行技術文献】
【特許文献】
【０００５】
【特許文献１】特開２０００−４１０２０号公報（第６−１０頁、第１図）
【発明の概要】
【発明が解決しようとする課題】
【０００６】
しかしながら、特許文献１のような手法では、局部発振器が２チャンネルで独立しており、局部発振器内に含まれる９０度位相シフト器の製造誤差などに伴う位相誤差が個々にある場合に、直交誤差を生じることになり、この直交誤差を補償することはできないという問題があった。
【０００７】
この発明は、上述のような課題を解決するためになされたもので、９０度位相シフト器の位相誤差による直交誤差を抑圧する複数チャンネル同時受信装置を得ることを目的とする。
【課題を解決するための手段】
【０００８】
この発明にかかる複数チャンネル同時受信装置においては、発振信号を生成する複数の局部発振部と、第１の選択信号、第２の選択信号を制御するスイッチ制御部と、前記第１の選択信号に基づいて、前記複数の発振信号をいずれかの出力に切り替える第１の切替え部と、前記第１の切替え部の出力のそれぞれを入力し、入力された信号の位相を９０度シフトした被シフト信号を出力する複数の位相シフト部と、前記第２の選択信号に基づいて、前記複数の位相シフト部が出力するそれぞれの被シフト信号出力をいずれかの出力に切り替える第２の切替え部と、受信信号を入力し、複数の前記発振信号のいずれかと前記第２の切替え部の出力のうち、前記第１の選択信号及び前記第２の選択信号の組合せに基づいて切り替えられた発振信号とを用いてそれぞれベースバンド信号を生成する複数の直交復調部と、それぞれの前記ベースバンド信号を合成する合成部とを備えることを特徴とするものである。
【発明の効果】
【０００９】
この発明は、局部発振部からの発振信号と位相シフト部による位相を９０度シフトさせた信号との組合せを第１の選択信号及び第２の選択信号を制御して直交復調部に供給することを可能にすることで、９０度位相シフト器の位相誤差による直交誤差を抑圧することができるという効果を奏する。
【図面の簡単な説明】
【００１０】
【図１】実施の形態１にかかる複数チャンネル同時受信装置の構成例を示すブロック図である。
【図２】発振信号供給部３０の組合せと受信品質との関係を示す図である。
【図３】実施の形態２にかかる複数チャンネル同時受信装置の構成例を示すブロック図である。
【図４】発振信号供給部３１の組合せと受信品質との関係を示す図である。
【発明を実施するための形態】
【００１１】
実施の形態１．
図１は、本実施の形態にかかる複数チャンネル同時受信装置の構成図である。ここでは、説明を簡素化するため受信するチャンネルは２チャンネルとして説明する。
【００１２】
本実施の形態にかかる複数チャンネル同時受信装置は、複数の直交復調部１０及び直交復調部１１、合成部２０、発振信号供給部３０、ＡＤ変換部４０、及びデジタル復調部５０を備える。
【００１３】
複数チャンネル同時受信装置は、異なる情報が変調された複数種類の信号を含む受信信号から複数の直交復調部１０及び直交復調部１１が生成したそれぞれのベースバンド信号を合成部２０により合成する。このとき、合成部２０に入力するそれぞれのベースバンド信号が異なる帯域になるように設定する。
【００１４】
合成部２０にて合成された信号をＡＤ変換部４０でデジタル信号に変換し、デジタル復調部５０でデジタル復調を行なうことで、それぞれのベースバンド信号からそれぞれのデジタル復調結果を得る。デジタル復調部５０は、デジタル信号に対してデジタル復調する対象のベースバンド信号の周波数帯域を抽出する、またはデジタル復調する対象のベースバンド信号の周波数帯域以外を抑圧してデジタル復調を行なうことでそれぞれのベースバンド信号が合成された信号からそれぞれのデジタル復調結果を得ることができる。
【００１５】
複数の直交復調部１０及び直交復調部１１は、異なる情報が変調された複数種類の信号を含む受信信号を入力し、それぞれの選局されたチャンネルにかかる周波数帯域の信号をベースバンド帯域に周波数変換したベースバンド信号を生成する。この際、入力された受信信号は、高周波のＲＦ（Ｒａｄｉｏ  Ｆｒｅｑｕｅｎｃｙ）帯の信号であり、一旦ＩＦ（Ｉｎｔｅｒｍｅｄｉａｔｅ  Ｆｒｅｑｕｅｎｃｙ）帯域（中間周波数帯域ともいう）に周波数変換を行ない、ベースバンド信号に周波数変換を行なう。この周波数変換を行なうための発振信号は発振信号供給部３０から供給される。
【００１６】
直交復調部１０は、ミキサー１０１及びミキサー１０２を用いて入力された受信信号から、選局されたチャンネルの帯域成分を一旦ＩＦ帯域に周波数変換を行なう。ミキサー１０１及びミキサー１０２は、共に受信信号が入力され、発振信号供給部３０からは同じ発振周波数の発振信号を入力する。ただし、ミキサー１０１に入力される発振信号とミキサー１０２に入力される発振信号とは位相が９０°ずれた直交関係を持つものが入力され、ミキサー１０１からはＩＦ帯域に周波数変換された第１のＩＦ信号の実部成分が出力され、ミキサー１０２からはＩＦ帯域に周波数変換された第１のＩＦ信号の虚数部成分が出力される。
【００１７】
ミキサー１０１及びミキサー１０２から出力された第１のＩＦ信号は、それぞれ帯域制限フィルター１０３及び帯域制限フィルター１０４に入力される。帯域制限フィルター１０３及び帯域制限フィルター１０４は、第１のＩＦ信号の不要な周波数成分を除去するために第１のＩＦ信号のＩＦ帯域を含む帯域を通し、それ以外の不要な周波数帯域を抑圧するフィルター特性を有する。
【００１８】
帯域制限フィルター１０３及び帯域制限フィルター１０４によって帯域制限された第１のＩＦ信号は、さらにベースバンド帯域に周波数変換を行なう。ミキサー１０５は、帯域制限された第１のＩＦ信号の実部成分を含む信号が入力され、発振信号供給部３０から発振信号を入力する。同様に、ミキサー１０６は、帯域制限された第１のＩＦ信号の虚数部成分を含む信号が入力され、発振信号供給部３０から発振信号を入力する。ただし、ミキサー１０５に入力される発振信号とミキサー１０６に入力される発振信号とは位相が９０°ずれた直交関係を持つものが入力され、ミキサー１０５からはベースバンド帯域に周波数変換された第１のベースバンド信号の実部成分が出力され、ミキサー１０６からはベースバンド帯域に周波数変換された第１のベースバンド信号の虚数部成分が出力される。
【００１９】
ミキサー１０１及びミキサー１０２から出力された第１のベースバンド信号を合成部１０７で合成し、合成した第１のベースバンド信号は、帯域制限フィルター１０８に入力される。帯域制限フィルター１０８は、第１のベースバンド信号の不要な周波数成分を除去するために第１のベースバンド信号のベースバンド帯域を含む帯域を通し、それ以外の不要な周波数帯域を抑圧するフィルター特性を有する。
【００２０】
このようにして、直交復調部１０は、入力された受信信号から第１のベースバンド信号を生成する。
【００２１】
直交復調部１１は、ミキサー１１１及びミキサー１１２を用いて入力された受信信号から、選局されたチャンネルの帯域成分を一旦ＩＦ帯域に周波数変換を行なう。ミキサー１１１及びミキサー１１２は、共に受信信号が入力され、発振信号供給部３０からは同じ発振周波数の発振信号を入力する。ただし、ミキサー１１１に入力される発振信号とミキサー１１２に入力される発振信号とは位相が９０°ずれた直交関係を持つものが入力され、ミキサー１１１からはＩＦ帯域に周波数変換された第２のＩＦ信号の実部成分が出力され、ミキサー１１２からはＩＦ帯域に周波数変換された第２のＩＦ信号の虚数部成分が出力される。
【００２２】
ミキサー１１１及びミキサー１１２から出力された第２のＩＦ信号は、それぞれ帯域制限フィルター１１３及び帯域制限フィルター１１４に入力される。帯域制限フィルター１１３及び帯域制限フィルター１１４は、第２のＩＦ信号の不要な周波数成分を除去するために第２のＩＦ信号のＩＦ帯域を含む帯域を通し、それ以外の不要な周波数帯域を抑圧するフィルター特性を有する。
【００２３】
帯域制限フィルター１１３及び帯域制限フィルター１１４によって帯域制限された第２のＩＦ信号は、さらにベースバンド帯域に周波数変換を行なう。ミキサー１１５は、帯域制限された第２のＩＦ信号の実部成分を含む信号が入力され、発振信号供給部３０から発振信号を入力する。同様に、ミキサー１１６は、帯域制限された第２のＩＦ信号の虚数部成分を含む信号が入力され、発振信号供給部３０から発振信号を入力する。ただし、ミキサー１１５に入力される発振信号とミキサー１１６に入力される発振信号とは位相が９０°ずれた直交関係を持つものが入力され、ミキサー１１５からはベースバンド帯域に周波数変換された第２のベースバンド信号の実部成分が出力され、ミキサー１１６からはベースバンド帯域に周波数変換された第２のベースバンド信号の虚数部成分が出力される。
【００２４】
ミキサー１１１及びミキサー１１２から出力された第２のベースバンド信号を合成部１１７で合成し、合成した第２のベースバンド信号は、帯域制限フィルター１１８に入力される。帯域制限フィルター１１８は、第２のベースバンド信号の不要な周波数成分を除去するために第２のベースバンド信号のベースバンド帯域を含む帯域を通し、それ以外の不要な周波数帯域を抑圧するフィルター特性を有する。
【００２５】
このようにして、直交復調部１１は、入力された受信信号から第２のベースバンド信号を生成する。
【００２６】
合成部２０は、直交復調部１０から生成された第１のベースバンド信号と直交復調部１１から生成された第２のベースバンド信号とを合成する。
【００２７】
ＡＤ変換部４０は、合成部２０で合成された信号を入力してデジタル信号に変換する。
【００２８】
デジタル復調部５０は、２チャンネル分の信号を分離するデジタルフィルタを有し、ＡＤ変換部４０からのデジタル信号から第１のベースバンド信号にかかる信号成分と第２のベースバンド信号にかかる信号成分とを分離し、それぞれ１チャンネルずつ別々にデジタル復調を行なう。
【００２９】
次に、発振信号供給部３０について詳細に説明する。発振信号供給部３０は、４つの局部発振器３０１、３０２、３０３、及び３０４を有する。直交復調部１０において、ＲＦ帯域からＩＦ帯域に周波数変換するための第１の発振信号及び第１の発振信号の位相を９０°シフトした発振信号（以下、第１の被シフト信号ともいう）と、ＩＦ帯域からベースバンド帯域に周波数変換するための第２の発振信号及び第２の発振信号の位相を９０°シフトした発振信号（以下、第２の被シフト信号ともいう）とを入力する必要がある。
【００３０】
図１ではミキサー１０１に局部発振器３０１の出力信号が接続されているので、図１では第１の発振信号は局部発振器３０１が生成して出力する。同様に、ミキサー１０５に局部発振器３０２の出力信号が接続されているので、図１では第２の発振信号は局部発振器３０２が生成して出力する。
【００３１】
直交復調部１１においても同様に、ＲＦ帯域からＩＦ帯域に周波数変換するための第３の発振信号及び第３の発振信号の位相を９０°シフトした発振信号（以下、第３の被シフト信号ともいう）と、ＩＦ帯域からベースバンド帯域に周波数変換するための第４の発振信号及び第４の発振信号の位相を９０°シフトした発振信号（以下、第４の被シフト信号ともいう）とを入力する必要がある。
【００３２】
図１ではミキサー１１１に局部発振器３０３の出力信号が接続されているので、図１では第３の発振信号は局部発振器３０３が生成して出力する。同様に、ミキサー１１５に局部発振器３０４の出力信号が接続されているので、図１では第４の発振信号は局部発振器３０４が生成して出力する。
【００３３】
発振信号供給部３０は、４つの局部発振器３０１、３０２、３０３、及び３０４の出力信号について、４つの９０度位相シフト器３２１、３２２、３２３、及び３２４のいずれかに切り替えて出力する第１の切替え部３１０を有する。第１の切替え部３１０は、スイッチ制御部３４０からの第１の選択信号に基づいて切り替える。ここでは、４つの入力に対して４つの選択結果は排他的に切り替えられるものとする。
【００３４】
９０度位相シフト器３２１、３２２、３２３、及び３２４はそれぞれ入力された発振信号の位相を９０°シフトして出力する。
【００３５】
発振信号供給部３０は、４つの９０度位相シフト器３２１、３２２、３２３、及び３２４の出力信号について、ミキサー１０２の入力（第１の被シフト信号）、ミキサー１０６の入力（第２の被シフト信号）、ミキサー１１２の入力（第３の被シフト信号）、及びミキサー１１６の入力（第４の被シフト信号）のいずれかに切り替えて出力する第２の切替え部３３０を有する。第２の切替え部３３０は、スイッチ制御部３４０からの第２の選択信号に基づいて切り替える。ここでは、４つの入力に対して４つの選択結果は排他的に切り替えられるものとする。
【００３６】
スイッチ制御部３４０は、第１の選択信号及び第２の選択信号を生成し、第１の選択信号を第１の切替え部３１０へ供給し、第２の選択信号を第２の切替え部３３０へ供給する。
【００３７】
図２は、スイッチ制御部３４０が制御する第１の選択信号及び第２の選択信号の組合せと、直交誤差との関係を示す図である。
【００３８】
１０側組合せとは、直交復調部１０側の組合せであって、１０２入力はミキサー１０２の入力（第１の被シフト信号）がどの９０度位相シフト器を用いるかを示し、１０６入力はミキサー１０６の入力（第２の被シフト信号）がどの９０度位相シフト器を用いるかを示す。
【００３９】
１１側組合せとは、直交復調部１１側の組合せであって、１１２入力はミキサー１１２の入力（第３の被シフト信号）がどの９０度位相シフト器を用いるかを示し、１１６入力はミキサー１１６の入力（第４の被シフト信号）がどの９０度位相シフト器を用いるかを示す。
【００４０】
例えば、１０２入力が３２１となっているものは、ミキサー１０２の入力（第１の被シフト信号）として９０度位相シフト器３２１を用いていることを示す。つまり、局部発振器３０１の出力が９０度位相シフト器３２１に入力され、９０度位相シフト器３２１の出力が第１の被シフト信号としてミキサー１０２に入力されることを示す。さらに、１０６入力が９０度位相シフト器３２２である場合は、残りの１１２入力は９０度位相シフト器として３２３または３２４となり、１１２入力が９０度位相シフト器３２３であれば１１６入力は３２４となり、１１２入力が９０度位相シフト器３２４であれば１１６入力は３２３となる。
【００４１】
つまり、スイッチ制御部３４０が制御する第１の選択信号及び第２の選択信号の組合せは１２通りとなる。
【００４２】
１０側直交誤差とは、ミキサー１０２の入力（第１の被シフト信号）及びミキサー１０６の入力（第２の被シフト信号）の組合せに伴う直交誤差である。これは、第１の発振信号と第１の被シフト信号とによる直交誤差と、第２の発振信号と第２の被シフト信号とによる直交誤差とが合わさって直交復調部１０でどれだけの直交誤差が生じたかを示す。例えば、１０２入力が３２１で１０６入力が３２２の場合の直交誤差をＤＥＧ１０＿１として示す。
【００４３】
１１側直交誤差とは、ミキサー１１２の入力（第３の被シフト信号）及びミキサー１１６の入力（第４の被シフト信号）の組合せに伴う直交誤差である。これは、第３の発振信号と第３の被シフト信号とによる直交誤差と、第４の発振信号と第４の被シフト信号とによる直交誤差とが合わさって直交復調部１１でどれだけの直交誤差が生じたかを示す。例えば、１１２入力が３２３で１１６入力が３２４の場合の直交誤差をＤＥＧ１１＿１として示す。
【００４４】
１０側受信品質とは、ミキサー１０２の入力（第１の被シフト信号）及びミキサー１０６の入力（第２の被シフト信号）の組合せに伴う受信品質である。例えば、１０２入力が３２１で１０６入力が３２２の場合の受信品質をＥＲＲ１０＿１として示す。
【００４５】
１１側受信品質とは、ミキサー１１２の入力（第３の被シフト信号）及びミキサー１１６の入力（第４の被シフト信号）の組合せに伴う受信品質である。例えば、１１２入力が３２３で１１６入力が３２４の場合の受信品質をＥＲＲ１０＿１として示す。
【００４６】
ここで、受信品質は、それぞれの選局したチャンネルの受信信号の信号品質を示すものである。例えば、デジタル復調部５０からＣＮ比を示す情報、ＭＥＲ（変調誤差比）を示す情報、パケットエラーレートを示す情報、あるいはビットエラーレートを示す情報などを取得したものである。
【００４７】
ＣＮ比は、キャリア（Ｃａｒｒｉｅｒ）とノイズ（Ｎｏｉｓｅ）との比を表わすものであって、例えば、周波数スペクトルを求めて放送波の該当帯域のレベルとその周辺の帯域のレベルとを比較したものである。このようにして得られたＣＮ比情報を信号品質とすることができる。
【００４８】
ＭＥＲ（変調誤差比）は、デジタル復調した際のコンスタレーションで理想点からどの程度ずれているかを表したものである。例えば、デジタル復調された信号からコンスタレーションパターンの理想点と受信信号点の距離を求め、一定期間平均する、もしくは移動平均することによって求める。このようにして得られたＭＥＲは、ＣＮ比に比例する値に相当するものとすることができ、信号品質とすることができる。
【００４９】
パケットエラーレートは、伝送された伝送パケットのうち、どれぐらい誤り訂正ができなかったかを示したものである。例えば、受信信号をデジタル変調する際、リードソロモン符号のようなブロック符号が用いられた場合、デジタル復調部の誤り訂正回路で信号を復号したときに訂正したパケット数は求める事が出来るため、パケットエラーレートを求める事が出来る。このようにして得られたパケットエラーレート情報を信号品質とすることができる。
【００５０】
ビットエラーレートは、伝送された伝送ビットのうち、どれぐらい誤りビットがあるかを示したものである。信号変調時に畳み込まれた符号をデジタル復調部の誤り訂正回路でビタビ復号するとき、ビタビ復号方法は尤もらしいデータを選択する方法であるので、誤りを訂正出来たかどうかは定かではない。そこでビタビ復号したデータを正しいものとして再符号化し、再符号したデータをビタビ復号前後のデータと比較する事によって簡易的にビットエラーレートを求める事ができる。このようにして得られたビットエラーレート情報を信号品質とすることができる。
【００５１】
スイッチ制御部３４０は、第１の選択信号及び第２の選択信号の組合せのうちから、どの組合せの時にそれぞれの受信品質が良好な状況となるかをみて、適当な組合せとなる第１の選択信号及び第２の選択信号の組合せを判断し、その組み合わせとなる第１の選択信号及び第２の選択信号を設定する。
【００５２】
適当な組合せを判断する手順としては、第１の選択信号及び第２の選択信号の組合せの全てについて、１つずつ設定したときのそれぞれの受信品質を取得して組合せに関連付けて記憶し、全ての組合せでのそれぞれの受信品質の取得が終了したら、全ての組合せのうちから適当な組合せを判断する。
【００５３】
このとき、例えば直交復調部１０で選局したチャンネルと直交復調部１１で選局したチャンネルとで必要な受信品質に差がある場合は、受信品質が良いことが求められるチャンネル側の受信品質が良好なものを優先して組合せの判断をしても良い。例えば、直交復調部１０で選局したチャンネルが地上波テレビ放送のようなユーザーの視聴提供に関わるものである場合は、復調データを映像信号にデコードしたときにブロックノイズなど視聴に悪影響が及ぶことのないレベルの受信品質が求められ、直交復調部１１で復調した結果は地上波テレビ放送ほど受信品質が求められないものであれば、直交復調部１０の受信品質が最も良い組合せを先に選択して、残りの直交復調部１１側の組合せのうちから受信品質が最も良い組合せを選択するとしても良い。
【００５４】
このように、局部発振部からの発振信号と位相シフト部による位相を９０度シフトさせた信号との組合せを制御して直交復調部に供給することを可能にすることで、９０度位相シフト器の位相誤差による直交誤差を抑圧する組合せに制御することができる。
【００５５】
また、第１の選択信号及び第２の選択信号の全ての組合せのうちから適当な組合せを判断する制御について、例えばユーザーが視聴していないときに制御することで、ユーザーの視聴を優先した上で、選局したチャンネルに対する適当な組合せを判断することができる。ユーザーが視聴していないときに、チャンネルサーチのような全ての受信可能なチャンネルについて選局を行ない受信可能なチャンネルでの適当な組合せを判断して記憶しておく。このようにすることで、ユーザーが所望のチャンネルを選局したときに、予めその所望のチャンネルに対して判断していた適当な組合せに設定することができ、より最適な状態で受信することが可能になるという効果を奏する。
【００５６】
実施の形態２．
実施の形態１では、２チャンネルの同時受信装置として、それぞれの直交復調部１０及び直交復調部１１において、ＲＦ帯域からＩＦ帯域に周波数変換を行なうときに用いる発振信号の発振周波数と、ＩＦ帯域からベースバンド帯域に周波数変換を行なうときに用いる発振信号の発振周波数とは独立して設定していた。本実施の形態では、ＩＦ帯域からベースバンド帯域に周波数変換を行なうときに用いる発振信号の発振周波数を共通化した形態を示す。
【００５７】
図３は、本実施の形態にかかる複数チャンネル同時受信装置の構成図である。ここでは、説明を簡素化するため受信するチャンネルは２チャンネルとして説明する。実施の形態１と同じ符号の構成要素については、実施の形態１で説明した作用と同じである為、説明は省略する。
【００５８】
発振信号供給部３１は、３つの局部発振器３０１、３０２、及び３０３を有する。また、第１の切替え部３１１は、スイッチ制御部３４１からの第１の選択信号に基づいて切り替える。ここでは、３つの入力に対して３つの選択結果は排他的に切り替えられるものとする。第２の切替え部３３１は、スイッチ制御部３４１からの第２の選択信号に基づいて切り替える。ここでは、３つの入力に対して３つの選択結果は排他的に切り替えられるものとする。
【００５９】
本実施の形態では、ミキサー１０５とミキサー１１５とが共通して局部発振器３０２の出力信号が接続されている。また、ミキサー１０６とミキサー１１６とが共通した第４の切替え部３３１の出力と接続されている。つまり、第２の発振信号と第４の発振信号とは同じ信号であることを示す。同様に、第２の被シフト信号と第４の被シフト信号とは同じ信号であることを示す。
【００６０】
図４は、本実施の形態にかかる発振信号供給部３１のスイッチ制御部３４１が制御する第１の選択信号及び第２の選択信号の組合せと、直交誤差との関係を示す図である。図２に示した実施の形態１における第１の選択信号及び第２の選択信号の組合せと、直交誤差との関係を示す図との違いは、ミキサー１０６への入力とミキサー１１６への入力が共通していることである。
【００６１】
このように、ＩＦ帯域からベースバンド帯域に周波数変換を行なうときに用いる発振信号の発振周波数を共通化することで、局部発振器の数を減らすことができ、切替え部の切替え数を減らすことができるという新たな効果を奏する。
【符号の説明】
【００６２】
１０，１１    直交復調部
３０１，３０２，３０３，３０４  局部発振器
３１０      第１の切替え部
３２１，３２２，３２３，３２４  位相シフト器
３３０      第２の切替え部
３４０      スイッチ制御部
２０    合成部
【図１】
2015201679.tif 000003
【図２】
2015201679.tif 000004
【図３】
2015201679.tif 000005
【図４】
2015201679.tif 000006